(57)【要約】  キャビネットの本体（２）を形成するために、スプライン（２３）およびキャップ（３１、３２）を使用して一緒にロックされる複数の内部支持チャンネル（１５）を使用して１つまたは複数の部分（２２）から組み立てることができるヒンジ取り付けキャビネット（１）。外部支持チャンネル（３９）により、ヒンジ吊り下げ用ブラケット（４０）は、さまざまなサイズのドアおよびヒンジ構成に適合するように容易に位置決めすることができる。【選択図】図１
2019519279.tif 000002
【特許請求の範囲】
【請求項１】
ドアと独立してヒンジピン上で枢動できるように、混み合ったドア付近に吊り下げられたドアの吊り下げに使用されるヒンジピンを有するヒンジに取り付け可能であるキャビネットにおいて、
内面および外面を有する内部側面パネルと、内面および外面を有する外部側面パネルと、内面および外面を有する背面パネルとを有する本体であって、前記本体が、前記内部側面パネルから前記外部側面パネルまで前記キャビネットの全体にわたって延在する１つまたは複数の棚を配置するための開いた収納領域を有する、本体と、
前記本体の上端に位置する第１のキャップであって、前記第１のキャップが、前縁と、内側縁と、外側縁と、後縁と、頂面と、底面とを有する、第１のキャップと、
前記本体の下端に位置する第２のキャップであって、前記第１のキャップが、前縁と、側内縁と、側外縁と、後縁と、頂面と、底面とを有する、第２のキャップと、
前記内部側面パネルの前記外面上に位置する少なくとも１つの外部支持チャンネルと、
前記少なくとも１つの外部支持チャンネルに取り付けられる少なくとも１つのヒンジ吊り下げ用ブラケットと
を備える、
キャビネット。
【請求項２】
前記本体が、少なくとも１つの取り付け手段を介して一緒に固定される少なくとも２つの部分を備える、
請求項１に記載のキャビネット。
【請求項３】
前記本体の内面上に位置する少なくとも１つの内部支持チャンネルをさらに備える、
請求項１に記載のキャビネット。
【請求項４】
前記本体の内面上に位置する少なくとも１つの内部支持チャンネルをさらに備え、
前記本体の前記少なくとも２つの部分が、前記少なくとも１つの内部支持チャンネル内に位置する少なくとも１つのスプラインを介して一緒に取り付けられる、
請求項２に記載のキャビネット。
【請求項５】
前記第１のキャップの前記内側縁上に位置する外部支持チャンネルと、
前記第２のキャップの前記内側縁上に位置する外部支持チャンネルと
をさらに備える、
請求項１に記載のキャビネット。
【請求項６】
前記少なくとも１つの外部支持チャンネルが、凹溝であって、前記凹溝へのアクセスを可能にするスロットを形成するために、前記凹溝上を内向きに所定の距離、延在する２つのフランジによって部分的に覆われる凹溝を備える、
請求項１に記載のキャビネット。
【請求項７】
前記少なくとも１つの内部支持チャンネルが、凹溝であって、前記凹溝へのアクセスを可能にするスロットを形成するために、前記凹溝上を内向きに所定の距離、延在する２つのフランジによって部分的に覆われる凹溝を備える、
請求項１に記載のキャビネット。
【請求項８】
前記少なくとも１つの内部支持チャンネルが、凹溝であって、前記凹溝へのアクセスを可能にするスロットを形成するために、前記凹溝上を内向きに所定の距離、延在する２つのフランジによって部分的に覆われる凹溝を備える、
請求項３に記載のキャビネット。
【請求項９】
前記本体の前記背面パネルの前記外面が湾曲している、
請求項１に記載のキャビネット。
【請求項１０】
前記本体の前記背面パネルの前記外面が略平坦である、
請求項１に記載のキャビネット。
【請求項１１】
前記本体の前記背面パネルの前記外面が、取り付け可能なインサートをさらに備える、
請求項１に記載のキャビネット。
【請求項１２】
ドアと独立してヒンジピン上で枢動できるように、混み合ったドア付近に吊り下げられたドアの吊り下げに使用されるヒンジピンを有するヒンジに取り付け可能であるキャビネットにおいて、
内面および外面を有する内部側面パネルと、内面および外面を有する外部側面パネルと、内面および外面を有する背面パネルとを有する本体であって、前記本体が、前記内部側面パネルから前記外部側面パネルまで前記キャビネットの全体にわたって延在する１つまたは複数の棚を配置するための開いた収納領域を有する、本体と、
前記本体の上端に位置する第１のキャップであって、前記第１のキャップが、前縁と、内側縁と、外側縁と、後縁と、頂面と、底面とを有する、第１のキャップと、
前記本体の下端に位置する第２のキャップであって、前記第１のキャップが、前縁と、側内縁と、側外縁と、後縁と、頂面と、底面とを有する、第２のキャップと、
前記内部側面パネルの前記外面上に位置する少なくとも１つの外部支持チャンネルと、
前記少なくとも１つの外部支持チャンネルに取り付けられる少なくとも１つのヒンジ吊り下げ用ブラケットと
を備え、
前記本体が、少なくとも１つの取り付け手段を介して一緒に固定される少なくとも２つの部分を備える、
キャビネット。
【請求項１３】
前記本体の内面上に位置する少なくとも１つの内部支持チャンネルをさらに備え、
前記本体の前記少なくとも２つの部分が、前記少なくとも１つの内部支持チャンネル内に位置する少なくとも１つのスプラインを介して一緒に取り付けられる、
請求項１２に記載のキャビネット。
【請求項１４】
前記第１のキャップの前記内側縁上に位置する外部支持チャンネルと、
前記第２のキャップの前記内側縁上に位置する外部支持チャンネルと
をさらに備える、
請求項１２に記載のキャビネット。
【請求項１５】
前記少なくとも１つの外部支持チャンネルが、凹溝であって、前記凹溝へのアクセスを可能にするスロットを形成するために、前記凹溝上を内向きに所定の距離、延在する２つのフランジによって部分的に覆われる凹溝を備える、
請求項１２に記載のキャビネット。
【請求項１６】
前記少なくとも１つの内部支持チャンネルが、凹溝であって、前記凹溝へのアクセスを可能にするスロットを形成するために、前記凹溝上を内向きに所定の距離、延在する２つのフランジによって部分的に覆われる凹溝を備える、
請求項１２に記載のキャビネット。
【請求項１７】
前記本体の前記背面パネルの前記外面が湾曲している、
請求項１２に記載のキャビネット。
【請求項１８】
前記本体の前記背面パネルの前記外面が略平坦である、
請求項１２に記載のキャビネット。
【請求項１９】
前記本体の前記背面パネルの前記外面が、取り付け可能なインサートをさらに備える、
請求項１２に記載のキャビネット。
【発明の詳細な説明】
【技術分野】
【０００１】
発明の分野
本発明は、収納装置に関し、より詳細には、ドアの１つまたは複数の既存のヒンジおよびヒンジピンに取り付け可能であるキャビネットに関する。
【背景技術】
【０００２】
発明の背景
スペースが限られている住宅および他の建造物において、さらなる収納は常に望まれているものである。過去に見過ごされてきた１つの領域は、ドアの背後に位置するスペースであった。フックでドアの上縁に吊り下げる、ならびに／または、ねじ、ボルト、および／もしくは接着剤でドアの後面に直接取り付ける収納装置が過去に開発されてきた。しかしながら、これらの装置は、ドアの表面処理に損傷を与えることがあり、ドアの構造的健全性を損なうことがあり、かつ／または、混み合ったドア付近と干渉することによってドアを閉じることが難しくなることがある。
【０００３】
従来のドアに取り付けられたキャビネットに関するさらなる問題は、装置の寸法および重量であり、それにより、ドアに設置されたとき、輸送運搬の費用は高くなり、ドアに余分な重量が上乗せされる。
【０００４】
したがって、キャビネットの重量がドアではなく既存のヒンジで支持される、ドアの１つまたは複数の既存のヒンジおよびヒンジピンに取り付け可能であるヒンジ取り付けキャビネット、ならびに、好ましくは軽く、モジュール式で、ヒンジの任意の構成への取り付けが容易であるヒンジ取り付けキャビネットの必要性が存在している。
【発明の概要】
【発明が解決しようとする課題】
【０００５】
発明の概要
本発明の主要な目的は、キャビネットの重量がドアではなく既存のドアヒンジで支持される、ドアの１つまたは複数の既存のヒンジおよびヒンジピンに取り付け可能であるキャビネット、ならびに、好ましくは軽く、モジュール式で、ヒンジの任意の構成への取り付けが容易であるヒンジ取り付けキャビネットを提供することである。
【課題を解決するための手段】
【０００６】
本発明は、キャビネットの本体を形成するために、スプラインおよびキャップを使用して一緒にロックされる複数の内部支持チャンネルを使用して１つまたは複数の部分から組み立てることができるキャビネットを提供することによって、上記の目的および他の目的を実現する。外部支持チャンネルにより、ヒンジ吊り下げ用ブラケットは、さまざまなサイズのドアおよびヒンジ構成に適合するように容易に位置決めすることができる。内部支持チャンネルおよび外部支持チャンネルの使用により、キャビネットの本体の開口の必要性が排除される。したがって、キャビネットおよびその部分は理想的には、プラスチック押出成形を使用して製造される。
【０００７】
本発明の上記の目的および他の目的、特徴、および利点は、本発明の例示的な実施形態が示され、説明されている以下の詳細な説明を図面とともに読むことで、当業者にはより容易に明らかになるはずである。
【０００８】
図面の簡単な説明
以下の詳細な説明においては、添付図面が参照される。
【図面の簡単な説明】
【０００９】
【図１】キャビネットの内側からのキャビネットの内部斜視図である。
【図２】キャビネットの外側からのキャビネットの内部斜視図である。
【図３】図２の線３−３に沿った断面図である。
【図４】図２の線４−４の拡大図である。
【図５】本発明の右スロット付きキャップの斜視上面図である。
【図６】本発明の左スロット付きキャップの斜視上面図である。
【図７】本発明のヒンジ吊り下げ用ブラケットの斜視側面図である。
【図８】本発明のヒンジ吊り下げ用ブラケットの上面図である。
【図９】本発明のキャビネットに取り付けられている部分的に分解されたヒンジ吊り下げ用ブラケットの斜視側面図である。
【図１０】本発明のキャビネットに取り付けられたヒンジ吊り下げ用ブラケットおよびヒンジの斜視側面図である。
【図１１】背面パネルに固定されたインサートを有する本発明のヒンジ取り付けキャビネットの後面斜視図である。
【図１２】図１１の線１２−１２に沿った断面図である。
【発明を実施するための形態】
【００１０】
好ましい実施形態の説明
図１〜５を参照すると、本発明のキャビネット１は、内面３および外面４と、内面６および外面７を有する内部側面パネル５と、内面９および外面１０を有する外部側面パネル８と、内面１２および外面１３を有する背面パネル１１とを有する本体２を備える。本体２は、内部側面パネル５から外部側面パネル８までキャビネット１全体にわたって延在する１つまたは複数の棚１４を配置するための開いた収納領域を有する。本明細書に図示されるように、背面パネル１１は平坦でもよくて、または、湾曲していてもよい。
【００１１】
内部支持チャンネル１５は好ましくは、本体２の内面３上に位置する。内部支持チャンネル１５は好ましくは、内部側面パネル５、外部側面パネル８、および背面パネル１１の内面６、９、および１２に沿って垂直に走る。内部支持チャンネル１５は、さまざまな取り付け手段を挿入および固定できる凹溝１６へのアクセスを可能にするスロット１８を形成するために、凹溝１６上を内向きに所定の距離だけ延在する２つのフランジ１７によって部分的に覆われる凹溝１６を備える。ねじ部２０およびナット２１を備える（図３に示されるような）支持ポスト１９は、内部支持チャンネル１５に挿入されてもよく、本体２内の１つまたは複数の棚１４の高さを調整するために所望の位置にロックされてもよい。支持ポスト１９は、内部支持チャンネル１５の凹溝１６内に位置するナット２１に対して支持ポスト１９のねじ部２０を回転させることによって適切な位置にロックされ、それによって、内部支持チャンネル１５の支持ポスト１９と、ナット２１と、フランジ１７との間で圧入を作成する。
【００１２】
キャビネット１の本体２は、モジュール式ユニットでもよく、本体２は、より高いキャビネット１を作るために互いに取り付けることができる１つまたは複数の部分２２を備える。部分２２は好ましくは、本体２の内面３、よって、その部分２２に位置する内部支持チャンネル１５に挿入される１つまたは複数のスプライン２３を使用して、一緒に固定される。図４に示されるように、スプライン２３は、スプライン２３上に位置するねじ付き開口２５に係合するねじ付きボルト２４を使用して固定される。部分２２の間に位置する接合線２６は、本体２の外面４に取り付ける飾りの部品２７を使用して覆ってもよい。
【００１３】
はめ込まれてもよいハンドル２７は、好ましくは、使用者がキャビネット１を開閉できるように、外部側面パネル８の外面１０上に位置する。キャビネット１上に位置する磁石２８は、ドアに取り付けられてもよい対応する磁石２８に係合することによって、キャビネット１をドアに対して閉位置に保持する。
【００１４】
図５および６に示されるように、右スロット付きキャップ２９の斜視上面図および左スロット付きキャップ３０の斜視上面図がそれぞれ図示される。キャップ２９、３０は、本体２の頂部３１および底部３２に取り付けられる。各キャップ２９、３０は、前縁３３と、側内縁３４と、側外縁３５と、後縁３６と、頂面３７と、底面３８とを備える。図１および３に示されるように、外部支持チャンネル３９は、右スロット付きキャップ２９および左スロット付きキャップ３０の側内縁３４上の、本体２の内部側面パネル３上に位置する外部支持チャンネル３９と整列する場所に位置する。この構成により、ドアが右開きか左開きかに関係なく、外部支持チャンネル３９がドアのドアノブ側から見ることができないようにヒンジが取り付けられるドアの側面に内部側面パネル３が面するように、単にキャビネット１を上下反対にすることによって、キャビネット１は任意のドア上に設置することが可能になる。
【００１５】
図７および８を参照すると、本発明のヒンジ吊り下げ用ブラケット４０の斜視側面図、および、本発明のヒンジ吊り下げ用ブラケット４０の斜視上面図がそれぞれ図示されている。ヒンジ吊り下げ用ブラケット４０は、頂部４４と、底部４５と、側部４６とを有する略長方形板４３を備える。少なくとも１つの開口４７が、略長方形板４３上に位置する。近位端４９と遠位端５０とを有するアーム４８は、略長方形板４３の頂部から延在する。リング５１および開口５２は、アーム４８の遠位端５０に位置する。ヒンジ吊り下げ用ブラケット４０のさらなる特徴は、アーム４８がアーム４８のリング５１および遠位端５０の直径５４より小さい幅５３を有することである。アーム４８の幅５３により、ヒンジ板、モールディングなどの障害物からの隙間が提供され、その結果、ヒンジ吊り下げ用ブラケット４０は、閉じたドアおよび平行な壁に対して１８０度完全に前後に揺動できる。ヒンジ吊り下げ用ブラケット４０はまた、ドアヒンジの代わりに壁掛けブラケットで使用されてもよい。壁掛けブラケットは、ねじおよび／またはボルトを使用して壁またはドアなどの平坦面に取り付けるＬ字形のブラケットである。スタッドまたは円筒形突出部は、リング５１およびアーム４８の遠位端５０に係合するために、Ｌ字形のブラケットの一端から延在する。
【００１６】
図９および１０を参照すると、本発明のキャビネット１に取り付けられる部分的に分解されたヒンジ吊り下げ用ブラケット４０の斜視側面図、ならびに、キャビネット１およびヒンジ５８に取り付けられたヒンジ吊り下げ用ブラケット４０の斜視側面図が、それぞれ図示されている。図４および５に示されるように、外部支持チャンネル３９は、右スロット付きキャップ２９および左スロット付きキャップ３０の側内縁３４上の、図１および３に示されるように本体２の内部側面パネル３上に位置する外部支持チャンネル３９と整列する場所に位置する。外部支持チャンネル３９は、凹溝１６へのアクセスを可能にするスロット１８を形成するために、凹溝１６上を内向きに所定の距離だけ延在する２つのフランジ１７によって部分的に覆われる凹溝１６を備える。１つまたは複数のヒンジ吊り下げ用ブラケット４０は、少なくとも１つの開口５６を備える内部取り付け板５５を外部支持チャンネル３９に挿入することによって、内部側面パネル３に固定されてもよい。内部取り付け板５５は、内部取り付け板５５およびヒンジ吊り下げ用ブラケット４０を一緒に締め付けることを可能にする１つまたは複数のナット５７およびボルト５８によって、ヒンジ吊り下げ用ブラケット４０に固定され、それによって、内部取り付け板５５とヒンジ吊り下げ用ブラケット４０との間に外部支持チャンネル３９のフランジ１７を挟み込む。
【００１７】
ヒンジピン５９をドアヒンジ４１から取り外し、次いで、アーム４８の遠位端５０に位置する開口５２を通してヒンジピン５９をドアヒンジ４１に戻すことによって、ヒンジ吊り下げ用ブラケット４０は従来のドアヒンジ４１に取り付けることができる。その場合、ヒンジ吊り下げ用ブラケット４０はドアヒンジ４１およびヒンジピン５９上で回転することができ、それによって、キャビネット１の開閉が可能になる。
【００１８】
図１１および１２を参照すると、背面パネル１１に固定されたインサート４２を有する本発明のヒンジ取り付けキャビネット１の後面斜視図、および、図１１の線１２−１２に沿った断面図が、それぞれ図示されている。インサート４２は好ましくは、接着剤、クリップなどの取り付け手段によって背面パネル１１に取り付けられる、鏡、ホワイトボード、黒板、コルクボード、ハンガーボードなどの材料の長方形の部品である。図１２に示されるように、インサート４２は、背面パネル１１の側縁６１に位置する保持チャンネル６０を使用して、キャビネット１に取り付けられる。保持チャンネル６０は、背面パネル１１から外側に所定の距離だけ延在して、インサート４２の側縁６２を背面パネル１１に対して保持するクリップ６３によって形成され、それによって、クリップ６３と背面パネル１１との間にインサート４２の側縁６２を挟み込む。保持チャンネル６０およびクリップ６３はまた、インサート４２の上縁部および下縁部を固定するために、キャップ２９、３０上に位置してもよい。
【００１９】
本発明の好ましい実施形態が示されたが、それは、本明細書で説明および示された部品の特定の形態または配置に限定されないことが理解されるべきである。さまざまな変更が本発明の範囲から逸脱することなく行われてもよく、本発明は、本明細書および図面に示されて、説明されたことに限定されるとは考えるべきではないことは当業者にとって明らかであろう。
【００２０】
好ましい実施形態を説明するために、図面の付番された構成要素に関して使用される用語は以下の通りである。
【符号の説明】
【００２１】
１  キャビネット、全般的に
２  本体
３  本体の内面
４  本体の外面
５  本体の内部側面パネル
６  内部側面パネルの内面
７  内部側面パネルの外面
８  本体の外部側面パネル
９  外部側面パネルの内面
１０  外部側面パネルの外面
１１  本体の背面パネル
１２  背面パネルの内面
１３  本体の外面
１４  棚
１５  内部支持チャンネル
１６  凹溝
１７  フランジ
１８  スロット
１９  支持ポスト
２０  支持ポストのねじ部
２１  ナット
２２  本体の部分
２３  スプライン
２４  ボルト
２５  ねじ付き開口
２６  接合線飾り
２７  ハンドル
２８  磁石
２９  右スロット付きキャップ
３０  左スロット付きキャップ
３１  本体の頂部
３２  本体の底部
３３  キャップの前縁
３４  キャップの側内縁
３５  キャップの側外縁
３６  キャップの後縁
３７  キャップの頂面
３８  キャップの底面
３９  外部支持チャンネル
４０  ヒンジ吊り下げ用ブラケット
４１  ドアヒンジ
４２  インサート
４３  長方形板
４４  長方形板の頂部
４５  長方形板の底部
４６  長方形板の側部
４７  長方形板上の開口
４８  アーム
４９  アームの近位端
５０  アームの遠位端
５１  リング
５２  リング開口
５３  リングの直径
５４  アームの幅
５５  内部取り付け板
５６  内部取り付け板上の開口
５７  ナット
５８  ボルト
５９  ヒンジピン
６０  保持チャンネル
６１  背面パネルの側縁
６２  インサートの側縁
６３  クリップ
【図１】
2019519279.tif 000003
【図２】
2019519279.tif 000004
【図３】
2019519279.tif 000005
【図４】
2019519279.tif 000006
【図５】
2019519279.tif 000007
【図６】
2019519279.tif 000008
【図７】
2019519279.tif 000009
【図８】
2019519279.tif 000010
【図９】
2019519279.tif 000011
【図１０】
2019519279.tif 000012
【図１１】
2019519279.tif 000013
【図１２】
2019519279.tif 000014
【国際調査報告】
2019519279.tif 000015